(57)【要約】【課題】      スプ−ル側とスプ−ル軸側に係止部を設け、両係止部が常時係合する方向に付勢手段で付勢した一方向回転規制部を構成して容易に垂らし長さの調節作業ができる魚釣用スピニングリ−ルを提供することである。【解決手段】  スプ−ル４のスプ−ル軸取付部４ｂの後端面周囲に軸線方向の垂直面ａと傾斜面ｂの凹凸歯からなる係止部４ｈが周方向に複数形成されている。  スプ−ル軸５の太径部５ａより前側の回り止め部が形成された中径部５ｂには皿板６が回り止め嵌合されて皿板６の前側に発条２０が載せられ、発条２０の前側に円板７が回り止め嵌合されてＥリング２１で、中径部５ｂに円板７の抜け止めと回転可能なスプ−ル４の軸方向の位置決めがなされている。  円板７には軸線方向の垂直面ａと傾斜面ｂの凹凸歯からなる係止部７ａが周方向に複数形成され、係止部４ｈと係止部７ａで一方向回転規制部Ａが構成されている。【選択図】        図４
2005151845.tif 000002
【特許請求の範囲】
【請求項１】
リ−ル本体に設けたハンドルの回転操作で連動回転するロ−タの釣糸案内部を介してスプ−ル軸の前部に設けたスプ−ルに釣糸を巻回する魚釣用スピニングリ−ルにおいて、前記スプ−ル軸の前部とスプ−ルの内側のそれぞれの対向部に係止部を設けて一方向回転規制部を構成し、該スプ−ル側及びスプ−ル軸側の両係止部が常時係合する方向に付勢手段で付勢し、前記スプ−ルを釣糸巻き取り方向に回転した際に前記付勢手段の付勢力に抗して釣糸巻き取り方向のみ回転可能としたことを特徴とする魚釣用スピニングリ−ル。
【発明の詳細な説明】
【技術分野】
【０００１】
本発明は、ハンドル操作で連動回転するロ−タの釣糸案内部を介してスプ−ルに釣り糸を巻回する魚釣用スピニングリ−ルの改良に関する。
【背景技術】
【０００２】
従来魚釣用スピニングリ−ルを投げ釣りとして用いる場合、釣糸先端部に仕掛けを有する錘は、釣竿の先端部から所定の長さを垂らしてから釣糸放出操作を行う。
この垂らし長さは、遠投距離を出す意味においても重要で、この垂らし長さを一度の設定で決定することは難しく、釣人は釣糸放出操作前に、スプ−ル前部のツマミを外し、スプ−ルをスプ−ル軸より取り外して釣糸を所望の竿先からの垂らし長さに相当する量を繰り出し、再度スプ−ルをスプ−ル軸にセットする等の作業を行っていた。
この垂らし長さの調節作業を、スプ−ルを取り外すことなく容易に行えるようにするために、スプ−ル軸にロ−ラ型のワンウェイクラッチを介してスプ−ルを取り付け、スプ−ルを巻き取り方向に回転可能にかつ糸繰り出し方向に回転不能に取り付けるようにしたものが、従来から知られている。（例えば、特許文献１）
【特許文献１】実用新案登録第２５１６０３１号
【発明の開示】
【発明が解決しようとする課題】
【０００３】
解決しようとする問題点は、前記特許文献１のロ−ラ型のワンウェイクラッチは、回転体の周面に接触するロ−ラの楔作用を利用して一方向の回転を阻止する構成であるために、釣糸放出操作時の高負荷が、ワンウェイクラッチのロ−ラの楔作用部に瞬時に集中的に掛かるために滑り現象が発生し易く、スプ−ルが空転する危険があり、釣糸放出操作に支障を来す可能性がある。
又、楔作用するロ−ラは、特に材料的に高硬度が要求されることより腐食し易く、海水、異物等を多量に含んだ釣糸が巻回されるスプ−ル回りへの使用は、安定した楔作用を常時維持できず、耐久性及び信頼性の面で課題を残している。
【０００４】
本発明の目的は前記欠点に鑑み、スプ−ル側とスプ−ル軸側に係止部を設け、両係止部が常時係合する方向に付勢手段で付勢した一方向回転規制部を構成して容易に垂らし長さの調節作業ができる魚釣用スピニングリ−ルを提供することである。
【課題を解決するための手段】
【０００５】
本発明の請求項１は、リ−ル本体に設けたハンドルの回転操作で連動回転するロ−タの釣糸案内部を介してスプ−ル軸の前部に設けたスプ−ルに釣糸を巻回する魚釣用スピニングリ−ルにおいて、前記スプ−ル軸の前部とスプ−ルの内側のそれぞれの対向部に係止部を設けて一方向回転規制部を構成し、該スプ−ル側及びスプ−ル軸側の両係止部が常時係合する方向に付勢手段で付勢し、前記スプ−ルを釣糸巻き取り方向に回転した際に前記付勢手段の付勢力に抗して釣糸巻き取り方向のみ回転可能としたことを要旨とするものである。
【発明の効果】
【０００６】
請求項１の本発明により、一方向回転規制部によって釣糸の引出し時に対するスプ−ル逆止め強度の維持を図りながら、スプ−ルを外すことなく竿先からの所望の垂らし長さに、スプ−ルを巻き取り方向に回転させて発条の弾発力に抗した係止部と係止部の乗り越えによる節度回転によって、補助的に釣糸をスプ−ルに巻回することで容易に行える。
【発明を実施するための最良の形態】
【０００７】
スプ−ル４のスプ−ル軸取付部４ｂの後端面周囲に軸線方向の垂直面ａと傾斜面ｂの凹凸歯からなる係止部４ｈが周方向に複数形成されて係止部４ｈの内側は凹部４ｉに形成されている。
スプ−ル軸５は回転軸筒２の中心透孔に嵌合される太径部５ａと回り止め部が形成された中径部５ｂと、中径部５ｂの前側の周溝５ｃと、周溝５ｃの前側の小径部５ｄと小径部５ｄの先端のネジ部５ｅで形成されている。
太径部５ａより前側の回り止め部が形成された中径部５ｂには皿板６が回り止め嵌合されて皿板６の前側に発条２０が載せられ、発条２０の前側に円板７が回り止め嵌合されて周溝５ｃに嵌められたＥリング２１でスプ−ル軸５に円板７の抜け止めとスプ−ル４の軸方向の位置決めがなされている。
周溝５ｃに嵌められたＥリング２１より前側にスプ−ル調整ワッシャ−２２が嵌合されている。
スプ−ル調整ワッシャ−２２より前側の小径部５ｄにスプ−ル軸取付部４ｂの中心透孔４ｊが回転可能に嵌合されている。
【０００８】
円板７には軸線方向の垂直面ａと傾斜面ｂの凹凸歯からなる係止部７ａが周方向に複数形成されている。
前記スプ−ル４に形成された係止部４ｈとスプ−ル軸５に回り止めされた円板７の係止部７ａで一方向回転規制部Ａが構成されている。
【実施例１】
【０００９】
以下、図示の実施例によって本発明を説明すると、図１から図９は第１実施例で、図１は魚釣用スピニングリ−ルの側面図、図２は係止部を外観側面で示したスプ−ルとロ−タの要部断面側面図、図３は係止部を外観側面で示したスプ−ルの要部分解断面側面図、図４は係止部を断面側面で示したスプ−ルとロ−タの要部断面側面図、図５は係止部を断面側面で示したスプ−ルの要部分解断面側面図、図６はスプ−ルとロ−タの正面図、図７はスプ−ルの要部拡大正面図、図８は釣糸を竿先から長めに垂らした時の側面図、図９は釣糸の垂らし長さが調整された後の側面図である。
【００１０】
魚釣用スピニングリ−ルは、リ−ル本体１の前部の回転軸筒２の前端にロ−タ３の中心筒部３ａが回り止め嵌合されてナット１０で取り付けられている。
回転軸筒２の中心透孔には前側にスプ−ル４が取り付けられたスプ−ル軸５が前後往復動可能に摺動自在に挿入されている。
回転軸筒２の図示しない基端外周に図示しないピニオンが形成されてピニオンに図示しない駆動歯車が噛合されている。
ロ−タ３は駆動歯車に取り付けられたハンドル１１の回転で駆動歯車とピニオンと回転軸筒２を介して回転される。
【００１１】
ロ−タ３は中心筒部３ａで回転軸筒２に取り付けられ、筒部３ａと連結部３ｂと大径の筒部３ｃと大径の筒部３ｃの基部の外周から前方に向けて突出された一対の支持ア−ム３ｄ、３ｅとで形成されて支持ア−ム３ｄの前部に一方のベ−ル支持部材１２が図示しないビスで止められ、支持ア−ム３ｅの前部に他方のベ−ル支持部材１３が図示しないビスで止められて図１の釣糸巻取位置と図示しない釣糸放出位置に反転自在に軸承されている。
一方のベ−ル支持部材１２にはベ−ル取付部１４とロ−ラからなる釣糸案内部１５が取り付けられている。
他方のベ−ル支持部材１３とベ−ル取付部１４の間にベ−ル１６が取り付けられている。
【００１２】
スプ−ル４は前側壁板４ａと壁板４ａ裏面のスプ−ル軸取付部４ｂと外側の前側鍔部４ｃと釣糸１７が巻回される釣糸巻回胴部４ｄと後側鍔部４ｅと円筒部４ｆとで形成されている。
前側壁板４ａの前面中心には浅い凹部４ｇが形成されてライニングワッシャ−１８とＤワッシャ−１９が載せられる。
スプ−ル軸取付部４ｂの後端面周囲に軸線方向の垂直面ａと傾斜面ｂの凹凸歯からなる係止部４ｈが周方向に複数形成されて係止部４ｈの内側は凹部４ｉに形成されている。
スプ−ル軸取付部４ｂの中心には透孔４ｊが穿設されている。
【００１３】
スプ−ル軸５は回転軸筒２の中心透孔に嵌合される太径部５ａと回り止め部が形成された中径部５ｂと、中径部５ｂの前側の周溝５ｃと、周溝５ｃの前側の小径部５ｄと小径部５ｄの先端のネジ部５ｅで形成されている。
太径部５ａより前側の回り止め部が形成された中径部５ｂには皿板６が回り止め嵌合されて皿板６の前側に発条２０が載せられ、発条２０の前側に円板７が回り止め嵌合されて周溝５ｃに嵌められたＥリング２１でスプ−ル軸５に円板７の抜け止めと回転可能なスプ−ル４の軸方向の位置決めがなされている。
周溝５ｃに嵌められたＥリング２１より前側にスプ−ル調整ワッシャ−２２が嵌合されている。
スプ−ル調整ワッシャ−２２より前側の小径部５ｄにスプ−ル軸取付部４ｂの中心透孔４ｊが回転可能に嵌合されている。
【００１４】
先端のネジ部５ｅにカバ−ツマミ２３が螺合され、回転可能なスプ−ル４を巻き取り方向に回転可能状態となるようにカバ−ツマミ２３で軸方向に抜け止め規制すると共に、カバ−ツマミ２３を締め過ぎてもスプ−ル４が回転しなくなることがないように、軸方向にカバ−ツマミ２３は螺合移動量が規制されている。
円板７には軸線方向の垂直面ａと傾斜面ｂの凹凸歯からなる係止部７ａが周方向に複数形成されている。
係止部７ａの内側に凹部７ｂが形成されて凹部７ｂ内の周溝５ｃにＥリング２１が止められている。
前記スプ−ル４に形成された係止部４ｈとスプ−ル軸５に回り止めされた円板７の係止部７ａでスプ−ル４を釣糸巻取方向のみ回転可能な一方向回転規制部Ａが構成されている。
【００１５】
魚釣用スピニングリ−ルの動作は、釣糸１７がスプ−ル４に巻回される方向にハンドル１１が回転されると、図示しない駆動歯車と図示しないピニオンと回転軸筒２を介してロ−タ３が正回転される。
この時ロ−タ３は図６で時計方向に回転される。
釣糸１７がスプ−ル４に巻回される時は、一方のベ−ル支持部材１２に設けられたロ−ラからなる釣糸案内部１５で釣糸１７が案内されて前後に往復動されるスプ−ル４に平行に巻回される。
【００１６】
図８で釣糸１７の先に取り付けられた仕掛２４が投擲されるときは、スプ−ル４と釣糸案内部１５の間の釣糸１７に指が掛けられてベ−ル１６が起こされて一方のベ−ル支持部材１２と他方のベ−ル支持部材１３が釣糸放出位置に反転されると共に釣糸案内部１５がリ−ル本体１の脚部側の上方に引き上げられ、投擲される。
一方のベ−ル支持部材１２と他方のベ−ル支持部材１３が釣糸放出位置から釣糸巻取位置に反転される時は、ハンドル１１が回転されてロ−タ３が時計方向に正回転されると、脚部側に設けられた衝接部に一方のベ−ル支持部材１２が衝接されて釣糸巻取位置に反転復帰される。
【００１７】
釣糸１７の先に取り付けられた仕掛２４が投擲されるときの竿先からの釣糸１７の垂らし長さの調節作業は、図８のように釣糸１７の垂らし長さＬが長すぎた時は、スプ−ル４の前側鍔部４ｃを手でつかんで図６で反時計方向Ｂに回動することで調整される。
この時スプ−ル４が反時計方向Ｂに回動されると、スプ−ル軸５に回り止めされた円板７の係止部７ａに対してスプ−ル４に形成された係止部４ｈが発条２０の弾発力に抗して反時計方向Ｂに回動される。
一方向回転規制部Ａの作用により、スプ−ル４は反時計方向Ｂの回動は可能であるが、時計方向Ｃの回動は不可である。
スプ−ル４が反時計方向Ｂに回動されると、スプ−ル４に釣糸１７が巻き込まれて垂らし長さを図８の長さＬから図９の長さＬ′のように短く適正にすることが容易にできる。
【００１８】
前記のように魚釣用スピニングリ−ルが構成されると、一方向回転規制部Ａによって釣糸１７の引出し時に対するスプ−ル逆止め強度の維持を図りながら、スプ−ル４を外すことなく竿先からの所望の垂らし長さに、スプ−ル４を巻き取り方向に発条２０の弾発力に抗した係止部４ｈと係止部７ａの乗り越えによる節度回転によって、補助的に釣糸をスプ−ル４に巻回することで容易に行える。
一方向回転規制部Ａをスプ−ル４の前部に設け、ロ−タの前部が嵌入するスプ−ルの後部のスペ−スにワンウェイクラッチの一方向回転規制部を設けることによる制約を受けることがないので、スプ−ル後部内の肉薄化による軽量化が可能となる。
【実施例２】
【００１９】
図１０から図１４は第２実施例で、図１０は係止部を断面側面で示したスプ−ルとロ−タの要部断面側面図、図１１は図１０の要部拡大断面側面図、図１２は図１１のＦ１２−Ｆ１２断面線の正面図、図１３は図１１のＦ１３−Ｆ１３断面線の正面図、図１４は図１１のＦ１４−Ｆ１４断面線の正面図である。
【００２０】
第２実施例では、スプ−ル４に係止部材８が回り止め嵌合されると共に軸線方向に移動自在に嵌合され、係止部材８に形成された係止部がスプ−ル軸５に回り止めされた円板７′の係止部７ａに対して発条２０の弾発力に抗して図６の反時計方向Ｂに回動される一方向回転規制部Ａが構成されると共に、係止部材８と円板７′がカバ−９の中に収容されている。
【００２１】
スプ−ル４は前側壁板４ａと壁板４ａ裏面のスプ−ル軸取付部４ｂと外側の前側鍔部４ｃと釣糸１７が巻回される釣糸巻回胴部４ｄと後側鍔部４ｅと円筒部４ｆとで形成されている。
前側壁板４ａの前面中心には深い凹部４ｋが形成され、スプ−ル軸取付部４ｂの中心で凹部４ｋの下側に回り止め透孔４ｍが形成されて回り止め透孔４ｍの下側に凹部４ｎが形成されている。
回り止め透孔４ｍには断面凸字形の係止部材８の回り止め軸部８ａが軸線方向に移動自在に嵌合されている。
回り止め軸部８ａの外周には発条２０が嵌合されて発条２０の前側は凹部４ｎ内に挿入されている。
係止部材８は回り止め軸部８ａと円板部８ｂと円板部８ｂの裏面周囲に軸線方向の垂直面と傾斜面の凹凸歯からなる係止部８ｃが周方向に複数形成されて形成されている。
回り止め軸部８ａの前端には周溝８ｄが形成されてＥリング２５が嵌められ、回り止め軸部８ａの中心に真円の透孔８ｅが穿設されてスプ−ル軸５が回転自在に嵌合されている。
【００２２】
スプ−ル軸５は太径部５ａと回り止め部が形成された中径部５ｂと、中径部５ｂの前側のネジ部５ｅが形成された小径部で形成されている。
スプ−ル軸５のネジ部５ｅには、スプ−ル４の前側壁板４ａの前にライニングワッシャ−１８を挾んでカバ−ツマミ２３が螺合され、回転可能なスプ−ル４を巻き取り方向に回転可能状態となるようにカバ−ツマミ２３で軸方向に抜け止め規制すると共に、カバ−ツマミ２３を締め過ぎてもスプ−ル４が回転しなくなることがないように、軸方向にカバ−ツマミ２３は螺合移動量が規制されている。
円板７′には軸線方向の垂直面と傾斜面の凹凸歯からなる係止部７ａが周方向に複数形成され、中心に回り止め孔７ｃが穿設されてスプ−ル軸５の回り止め部が形成された中径部５ｂが嵌合されている。
円板７′の係止部７ａには係止部材８の係止部８ｃが係止可能である。
カバ−９はカップ状に形成されて底面の中心に真円の透孔９ａが穿設されてスプ−ル軸５の中径部５ｂが嵌合され、上縁の鍔部９ｂはスプ−ル４の前側壁板４ａの裏面にビス２６で固定されている。
【００２３】
第２実施例で竿先からの釣糸１７の垂らし長さの調節作業が行われる時、スプ−ル４の前側鍔部４ｃが手で握られて巻き取り方向に回動されると、スプ−ル軸５に対してスプ−ル４が回動され、この時係止部材８の係止部８ｃが円板７′の係止部７ａの歯形で発条２０に抗して押し上げられて係止部材８の回り止め軸部８ａがスプ−ル４の中の凹部４ｋ内に後退して係止部８ｃが係止部７ａを乗り越えられる。
【００２４】
第２実施例のように魚釣用スピニングリ−ルが構成されると、一方向回転規制部Ａによって釣糸１７の引出し時に対するスプ−ル逆止め強度の維持を図りながら、スプ−ル４を外すことなく竿先からの所望の垂らし長さに、スプ−ル４を巻き取り方向に発条２０の弾発力に抗した係止部８ｃと係止部７ａの乗り越えによる節度回転によって、補助的に釣糸をスプ−ル４に巻回することで容易に行える。
又、一方向回転規制部Ａをカバ−９の中に収容したので確実に防塵、防水が施される。
【図面の簡単な説明】
【００２５】
【図１】第１実施例で、魚釣用スピニングリ−ルの側面図である。
【図２】同係止部を外観側面で示したスプ−ルとロ−タの要部断面側面図である。
【図３】同係止部を外観側面で示したスプ−ルの要部分解断面側面図である。
【図４】同係止部を断面側面で示したスプ−ルとロ−タの要部断面側面図である。
【図５】同係止部を断面側面で示したスプ−ルの要部分解断面側面図である。
【図６】同スプ−ルとロ−タの正面図である。
【図７】同スプ−ルの要部拡大正面図である。
【図８】同釣糸を竿先から長めに垂らした時の側面図である。
【図９】同釣糸の垂らし長さが調整された後の側面図である。
【図１０】第２実施例で、係止部を断面側面で示したスプ−ルとロ−タの要部断面側面図である。
【図１１】同図１０の要部拡大断面側面図である。
【図１２】同図１１のＦ１２−Ｆ１２断面線の正面図である。
【図１３】同図１１のＦ１３−Ｆ１３断面線の正面図である。
【図１４】同図１１のＦ１４−Ｆ１４断面線の正面図である。
【符号の説明】
【００２６】
Ａ  一方向回転規制部
１  リ−ル本体
３  ロ−タ
４  スプ−ル
４ｈ、７ａ、８ｃ  係止部
５  スプ−ル軸
１１  ハンドル
１７  釣糸
【図１】
2005151845.tif 000003
【図２】
2005151845.tif 000004
【図３】
2005151845.tif 000005
【図４】
2005151845.tif 000006
【図５】
2005151845.tif 000007
【図６】
2005151845.tif 000008
【図７】
2005151845.tif 000009
【図８】
2005151845.tif 000010
【図９】
2005151845.tif 000011
【図１０】
2005151845.tif 000012
【図１１】
2005151845.tif 000013
【図１２】
2005151845.tif 000014
【図１３】
2005151845.tif 000015
【図１４】
2005151845.tif 000016